(57)【特許請求の範囲】
【請求項１】
開口を有した基板と、
前記基板に回転可能に支持された基端部、前記基端部が前記基板に対して回転することにより揺動する先端部、を有したアームと、
前記開口を開閉可能に前記アームに連結された幕と、
前記開口を挟んで前記アームと対向する位置に設けられ前記幕の状態を検出するセンサと、を備え、
前記幕は、第１及び２羽根を有し、
前記第２羽根と前記アームとの連結箇所は、前記第１羽根と前記アームとの連結箇所よりも前記アームの前記基端部側に位置しており、
前記第２羽根は、前記アームに連結された基端部、前記開口を閉鎖可能な中間部、前記センサの少なくとも一部を遮蔽可能であり前記第１羽根に向けて突出した形状の先端部、を有し、
前記幕が前記開口を閉じた閉鎖状態、又は前記幕が前記閉鎖状態となるように走行している走行途中の状態において、前記第１羽根の先端部が前記センサの一部分を遮蔽し前記第１羽根の先端部から前記幕の走行可能な方向と直交する方向に前記センサの他の部分が露出し、前記第２羽根の前記先端部が前記センサの他の部分を遮蔽することにより、前記第１及び第２羽根の双方を用いて前記センサを完全に遮蔽する、フォーカルプレーンシャッタ。
【請求項２】
前記第２羽根の前記先端部は、前記開口とは重ならない、請求項１のフォーカルプレーンシャッタ。
【請求項３】
前記第２羽根は、前記中間部を画定する第１縁、前記第１縁に連続し前記先端部を画定し前記第１縁よりも前記第１羽根側に突出した第２縁、を有している、請求項１又は２のフォーカルプレーンシャッタ。
【請求項４】
前記センサは、前記基板の被写体側に配置されたレンズの光軸に直交しかつ前記幕の移動方向に直交する仮想線上に配置されている、請求項１乃至３の何れかのフォーカルプレーンシャッタ。
【請求項５】
請求項１乃至４の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
特許文献１には、開口を有した基板と、基板に支持されたアームと、開口を開閉可能にアームに連結された幕と、幕の状態を検出するセンサと、を備えたものがある。センサは、開口を挟んでアームと対向する位置に設けられている。幕は、複数の羽根から構成される。
【先行技術文献】
【特許文献】
【０００３】
【特許文献１】特開平６−２５０２６１号公報
【発明の概要】
【発明が解決しようとする課題】
【０００４】
センサにより幕の状態を適切に検出するためには、幕はセンサを充分に覆うだけの大きさが必要となる。そのために、幕の移動方向と直交する方向に延びた羽根を採用することが考えられる。しかしながら、このように幕の移動方向と直交する方向に延びた大型の羽根を採用すると、羽根を保持する基板も羽根が延びた方向に大型化し、これにより、フォーカルプレーンシャッタ自体の大きさも大型化していた。
【０００５】
そこで本発明は、大型化を抑制しつつ幕の状態の検出精度を確保したフォーカルプレーンシャッタ及びそれを備えた光学機器を提供することを目的とする。
【課題を解決するための手段】
【０００６】
上記目的は、開口を有した基板と、前記基板に回転可能に支持された基端部、前記基端部が前記基板に対して回転することにより揺動する先端部、を有したアームと、前記開口を開閉可能に前記アームに連結された幕と、前記開口を挟んで前記アームと対向する位置に設けられ前記幕の状態を検出するセンサと、を備え、前記幕は、第１及び第２羽根を有し、前記第２羽根と前記アームとの連結箇所は、前記第１羽根と前記アームとの連結箇所よりも前記アームの前記基端部側に位置しており、前記第２羽根は、前記アームに連結された基端部、前記開口を閉鎖可能な中間部、前記センサの少なくとも一部を遮蔽可能であり前記第１羽根に向けて突出した形状の先端部、を有している、フォーカルプレーンシャッタによって達成できる。
【０００７】
第２羽根が、センサの少なくとも一部を遮蔽可能であり第１羽根に向けて突出した形状の先端部を有しているので、基板を大型化することなくセンサを遮蔽することができる。
【０００８】
上記目的は、上記フォーカルプレーンシャッタを備えた光学機器によっても達成できる。
【発明の効果】
【０００９】
本発明によれば、大型化を抑制しつつ幕の状態の検出精度を確保したフォーカルプレーンシャッタ及びそれを備えた光学機器を提供できる。
【図面の簡単な説明】
【００１０】
【図１】図１は、本実施例のフォーカルプレーンシャッタの後幕が退避状態から閉鎖状態への移行途中を示す正面図である。
【図２】図２は、本実施例のフォーカルプレーンシャッタの露光作動が終了した直後の後幕の状態を示す正面図である。
【図３】図３は、本実施例のフォーカルプレーンシャッタの先幕が閉鎖状態から退避状態への移行途中を示す正面図である。
【図４】図４は、本実施例のフォーカルプレーンシャッタの初期状態の先幕の状態を示す正面図である。
【図５】図５は、本実施例のフォーカルプレーンシャッタのセンサの説明図である。
【図６】図６Ａは、本実施例のフォーカルプレーンシャッタの後幕の羽根の説明図である。図６Ｂは、本実施例のフォーカルプレーンシャッタの先幕の羽根の説明図である。
【図７】図７は、本実施例のフォーカルプレーンシャッタの後幕が閉鎖状態でのフォーカルプレーンシャッタ１の部分拡大図である。
【図８】図８は、本実施例のフォーカルプレーンシャッタの後幕の羽根とは形状の異なる羽根を採用したフォーカルプレーンシャッタの説明図である。
【図９】図９は、本実施例のフォーカルプレーンシャッタの後幕が退避状態から閉鎖状態への移行途中におけるフォーカルプレーンシャッタの比較図である。
【発明を実施するための形態】
【００１１】
図１、２は、本実施例のフォーカルプレーンシャッタの正面図である。図１、２に示すように、フォーカルプレーンシャッタ１は、基板１０、先幕、後幕２０、先幕用アーム、後幕用のアーム３１ｂ、３２ｂ、先幕用電磁石、後幕用電磁石、先幕レバー、後幕レバー２５、センサ９０を有している。尚、図１は本実施例のフォーカルプレーンシャッタの後幕が退避状態から閉鎖状態への移行途中を示す正面図、図２は露光作動が終了した直後の後幕の状態を示す正面図である。図１、２においては、先幕、先幕用アーム、先幕用電磁石、後幕用電磁石、先幕レバーについては、図示を省略してある。
【００１２】
基板１０は合成樹脂製であり、矩形状の開口１１を有している。後幕２０は、２１〜２４の４枚の羽根から構成される。羽根２１〜２４は、それぞれ合成樹脂製であり薄く形成されている。また、アーム３１ｂ、３２ｂは金属の薄板である。後幕２０は、開口１１から退避した退避状態と開口１１を閉鎖する閉鎖状態とに移行可能である。羽根２１〜２４は、退避状態で互いに重なりあう。羽根２１〜２４は、閉鎖状態で展開する。
【００１３】
後述する先幕、後幕２０は、開口１１を開閉する。図１は、先幕が開口１１から退避した状態で、後幕２０が退避状態から閉鎖状態への移行途中を示している。図１においては、後幕２０は移動方向Ｄに沿って図１の下方へ移動している途中を示している。
【００１４】
後幕２０は、アーム３１ｂ、３２ｂに連結されている。これらアーム３１ｂ、３２ｂは、それぞれ基板１０に設けられた軸１２ｂ、１３ｂに揺動自在に支持されている。アーム３１ｂ、３２ｂの基端側が軸１２ｂ、１３ｂにより支持されている。
【００１５】
同様に、先幕について説明する。図３は、本実施例のフォーカルプレーンシャッタの先幕４０が閉鎖状態から退避状態への移行途中を示す正面図である。図３において、後幕２０は開口１１から退避しており、先幕４０は移動方向Ｄに沿って図３の下方へ移動している途中を示している。先幕４０は、４１〜４４の４枚の羽根から構成される。羽根４１〜４４は、それぞれ合成樹脂製であり薄く形成されている。また、アーム５１ｂ、５２ｂは金属の薄板である。先幕４０は、開口１１を閉鎖する閉鎖状態と開口１１から退避した退避状態とに移行可能である。羽根４１〜４４は、退避状態で互いに重なりあい、閉鎖状態で展開する。先幕４０は、アーム５１ｂ、５２ｂに連結されている。これらアーム５１ｂ、５２ｂは、それぞれ基板１０に設けられた軸１４ｂ、１５ｂに揺動自在に支持され、アーム５１ｂ、５２ｂの基端側が軸１４ｂ、１５ｂにより支持されている。
【００１６】
基板１０には、アーム３２ｂを駆動するための後幕レバー２５、アーム５２ｂを駆動するための先幕レバー４５が設けられている。後幕レバー２５、先幕レバー４５は、基板１０に所定の範囲を揺動可能に支持されている。詳細には、後幕レバー２５、先幕レバー４５は基板１０に形成された軸を中心にして揺動可能に支持されている。アーム３２ｂは、後幕レバー２５のピンに連結され、アーム５２ｂは、先幕レバー４５のピンに連結されている。後幕レバー２５、先幕レバー４５が揺動することにより、アーム３２ｂ、アーム５２ｂが揺動し、これにより後幕２０、先幕４０が移動する。基板１０には、後幕レバー２５のピンを逃すための逃げ孔１８ｂ、先幕レバー４５のピンを逃すための逃げ孔１８ａが形成されている。
【００１７】
後幕レバー２５は、不図示の鉄片を保持している。後幕レバー２５は、鉄片が後幕用電磁石から離接するように移動可能である。後幕レバー２５は、バネにより鉄片が後幕用電磁石から離れる方向に付勢されている。後幕用電磁石は、通電されることにより、後幕レバー２５の鉄片を吸着可能となる。先幕レバー４５及び先幕用電磁石についても同様である。
【００１８】
後幕２０を構成する羽根２１は、アーム３１ｂ、３２ｂの最も先端側にある連結部Ｐ１、Ｐ２により連結さている。同様に、羽根２２は、アーム３１ｂ、３２ｂの連結部Ｐ３、Ｐ４により連結されている。同様に、羽根２３は、アーム３１ｂ、３２ｂの連結部Ｐ５、Ｐ６により連結されている。同様に、羽根２４は、アーム３１ｂ、３２ｂの連結部Ｐ７、Ｐ８により連結されている。
【００１９】
先幕４０についても同様の構成となっており、先幕４０を構成する羽根４１は、アーム５１ｂ、５２ｂの最も先端側にある連結部Ｐ１１、Ｐ１２により連結さている。同様に、羽根４２は、アーム５１ｂ、５２ｂの連結部Ｐ１３、Ｐ１４により連結されている。同様に、羽根２３は、アーム５１ｂ、５２ｂの連結部Ｐ１５、Ｐ１６により連結されている。同様に、羽根２４は、アーム５１ｂ、５２ｂの連結部Ｐ１７、Ｐ１８により連結されている。
【００２０】
次に、フォーカルプレーンシャッタ１の動作について説明する。初期状態においては、不図示のセットレバーが初期位置に固定されており、先幕４０は展開して開口１１を閉鎖し、後幕２０は重畳して開口１１から退避している。この初期状態において、先幕レバー４５、後幕レバー２５の鉄片は、それぞれ先幕用電磁石、後幕用電磁石に当接し、これに吸着可能な初期位置にセットされている。図４は、初期状態の先幕４０の状態を示している。
【００２１】
撮影に際して、カメラのレリーズボタンが押されると、先幕用電磁石、後幕用電磁石のコイルが通電され、先幕レバー４５の鉄片は先幕用電磁石に吸着され、後幕レバー２５の鉄片は後幕用電磁石に吸着される。その後、セットレバーは、先幕レバー４５、後幕レバー２５から退避する。ここで、先幕レバー４５、後幕レバー２５はそれぞれ先幕用電磁石、後幕用電磁石に吸着された状態で保持されている。
【００２２】
その後、先幕用電磁石のコイルの通電が遮断されると、先幕レバー４５はバネの付勢力に従って時計方向に回転し、先幕４０が閉鎖状態から退避状態へ移行する。図３は、先幕４０が閉鎖状態から退避状態への移行途中を示している。これにより、先幕４０は開口１１から退避して重畳状態となる。所定期間後幕電磁石のコイルへの通電が維持され、後幕２０は開口１１から退避した状態に維持される。これにより、開口１１は開いた状態となる。
【００２３】
レリーズボタンが押されてから所定期間経過後に後幕用電磁石のコイルへの通電が遮断され、バネの付勢力により後幕レバー２５が時計方向に回転する。これにより、後幕２０は展開して開口１１を閉鎖する。図１は、後幕２０が走行している途中を示している。図２は、露光作動が終了した直後の後幕２０の状態を示している。このようにして１回の撮影が終了する。
【００２４】
センサ９０について説明する。
図５は、センサ９０の説明図である。図５は、センサ９０周辺の断面構成を示している。センサ９０は、発光素子と受光素子とを備えている。基板１０の背面側には中間板１０ａが配置され、中間板１０ａの背面側には背面板１０ｂが配置されている。基板１０、中間板１０ａ、背面板１０ｂは、それぞれに、カメラ側に設けられた撮像素子１００への光路を確保するための開口１１、１１ａ、１１ｂが形成されている。センサ９０は、基板１０と中間板１０ａとの間に位置し中間板１０ａに固定されている。中間板１０ａには、センサ９０の発光素子からの光及びセンサ９０の受光素子への光を逃すための孔１９ａが設けられている。
【００２５】
中間板１０ａと背面板１０ｂとの間には、合成樹脂製で薄く形成された、仕切り板１０ｃが設けられている。仕切り板１０ｃにはカメラ側に設けられた撮像素子１００への光路を確保するための開口１１ｃが形成されている。また、仕切り板１０ｃにはセンサ９０の発光素子からの光及びセンサ９０の受光素子への光を逃すための孔１９ｃが設けられている。後幕２０は中間板１０ａと仕切り板１０ｃとの間に収納され、先幕４０は仕切り板１０ｃと背面板１０ｂとの間に収納されている。センサ９０と対向する背面板１０ｂの位置には、反射板９５が設けられている。
【００２６】
図２に示すように、先幕４０が開口１１から退避して後幕２０が閉鎖状態の場合には後幕２０はセンサ９０と重なる。後幕２０が退避状態の場合には後幕２０はセンサ９０に重ならない。また、図１に示すように、後幕２０が退避状態から閉鎖状態への移行途中において、後幕２０はセンサ９０に重なり始める。後幕２０が退避状態の場合には、センサ９０の受光素子からの光が反射板９５で反射してセンサ９０の受光素子で受光される。後幕２０が閉鎖状態の場合には、センサ９０の受光素子からの光は、後幕２０により遮られセンサ９０の受光素子は受光しない。このように、センサ９０の受光素子の受光信号のレベルにより、後幕２０が退避状態にあるか閉鎖状態にあるかを判断できる。
【００２７】
同様に、先幕４０の状態についてもセンサ９０で判断できる。図４に示すように、先幕４０が展開して開口１１を閉鎖している場合には、後幕２０は重畳して開口１１から退避しているので、先幕４０はセンサ９０と重なりセンサ９０の受光素子からの光は先幕４０により遮られセンサ９０の受光素子は受光しない。また、図３に示す先幕４０が閉鎖状態から退避状態への移行途中から、先幕４０が退避状態に移行するに従い、先幕４０はセンサ９０から退避し始め、センサ９０の受光素子からの光が反射板９５で反射してセンサ９０の受光素子で受光される。このように、センサ９０の受光素子の受光信号のレベルにより、先幕４０が退避状態にあるか閉鎖状態にあるかを判断できる。
【００２８】
センサ９０は、開口１１を挟んでアーム３１ｂ、３２ｂと対向する位置に設けられている。詳細には、センサ９０は、図１〜５に示すように光軸Ａに直交しかつ後幕２０の移動方向Ｄに直交する仮想線Ｌ上に配置されている。ここで、光軸Ａとは、基板１０よりも被写体側に配置されてカメラに搭載された不図示のレンズの光軸である。レンズを透過した光は、開口１１を介して撮像素子１００へ進行する。
【００２９】
次に、後幕２０の羽根２３の形状について説明する。図６Ａは、後幕２０の羽根２３の説明図である。図６Ａに示すように、羽根２３は、基端部２３１、中間部２３３、先端部２３５とを含む。基端部２３１は、アーム３１ｂ、３２ｂと連結部Ｐ５、Ｐ６で回転可能に連結されている。中間部２３３は、羽根２３の移動方向Ｄと直交する方向に延びた略矩形状であり、主に開口１１を閉鎖するための部分である。先端部２３５は、主にセンサ９０を覆うための部分であり羽根２１、２２側に向けて突出している。
【００３０】
ここで、羽根２３と、羽根２１、２２との関係を説明する。羽根２３とアーム３１ｂ、３２ｂとの連結箇所である連結部Ｐ５、Ｐ６は、羽根２１とアーム３１ｂ、３２ｂとの連結箇所である連結部Ｐ１、Ｐ２よりもアーム３１ｂ、３２ｂの基端側に位置している。同様に、羽根２３とアーム３１ｂ、３２ｂとの連結箇所である連結部Ｐ５、Ｐ６は、羽根２２とアーム３１ｂ、３２ｂとの連結箇所である連結部Ｐ３、Ｐ４よりもアーム３１ｂ、３２ｂの基端側に位置している。羽根２１、２２は第１羽根に相当し、羽根２３は第２羽根に相当する。
【００３１】
羽根２３は、中間部２３３を画定する第１縁２３３ｅ、第１縁２３３ｅに連続し先端部２３５を画定し第１縁２３３ｅよりも羽根２１、２２側に突出した第２縁２３５ｅ、を有している。第１縁２３３ｅは、後幕２０の移動方向Ｄに略垂直である。第２縁２３５ｅは、後幕２０の移動方向Ｄに対して傾斜している。
【００３２】
図６Ｂは、先幕４０の羽根４３の説明図である。後幕２０の羽根２３と同様な構成である先幕４０の羽根４３は、基端部４３１、中間部４３３、先端部４３５を含み、基端部４３１は、アーム５１ｂ、５２ｂと連結部Ｐ１５、Ｐ１６で回転可能に連結され、主に開口１１を閉鎖するための中間部４３３は、羽根４３の移動方向Ｄと直交する方向に延びた略矩形状であり、主にセンサ９０を覆うための先端部４３５は、羽根４１、４２側に向けて突出している。また、羽根４３とアーム５１ｂ、５２ｂとの連結箇所である連結部Ｐ１５、Ｐ１６は、羽根４１とアーム５１ｂ、５２ｂとの連結箇所である連結部Ｐ１１、Ｐ１２、羽根４２とアーム５１ｂ、５２ｂとの連結箇所である連結部Ｐ１３、Ｐ１４よりもアーム５１ｂ、５２ｂの基端側に位置している。羽根４３は、中間部４３３を画定する第１縁４３３ｅ、第１縁４３３ｅに連続し先端部４３５を画定し第１縁４３３ｅよりも羽根４１、４２側に突出した第２縁４３５ｅ、を有しており、第１縁４３３ｅは、先幕４０の移動方向Ｄに略垂直で、第２縁４３５ｅは、先幕４０の移動方向Ｄに対して傾斜している。ここで、羽根４１、４２は第１羽根に相当し、羽根４３は第２羽根に相当する。
【００３３】
図７は、後幕２０が閉鎖状態でのフォーカルプレーンシャッタ１の部分拡大図である。図７に示すように、閉鎖状態においては、羽根２３の先端部２３５がセンサ９０の大部分を覆っている。尚、羽根２１、２２、２４の先端部は、羽根２３の先端部２３５のように突出した形状ではない。
【００３４】
図８は、本実施例のフォーカルプレーンシャッタ１の羽根２３とは形状の異なる羽根２３ｙを採用したフォーカルプレーンシャッタ１ｙの説明図である。尚、図８においても、後幕が閉鎖状態の場合を示している。羽根２３ｙの先端部２３５ｙは、本実施例のフォーカルプレーンシャッタ１の羽根２３の先端部２３５と異なり、羽根２１、２２側に突出していない。詳細には、中間部２３３ｙを画定する第１縁２３３ｙｅと、先端部２３５ｙを画定する第２縁２３５ｙｅとは、略同一直線上にある。即ち、羽根２３ｙの先端部２３５ｙは、羽根２１、２２、２４の先端部の形状と略同じである。このため、フォーカルプレーンシャッタ１ｙの後幕が閉鎖状態にある場合、図８に示すように、センサ９０の一部を覆うことができない。詳細には、羽根２３ｙと羽根２２とがセンサ９０を覆っているが、センサ９０の全体を覆いき切れていない。このため、センサ９０の発光素子からの光の一部が反射板９５に反射してセンサ９０の受光素子が受光する恐れがある。この場合、後幕が退避状態にあるのか閉鎖状態にあるのかの判定が困難になる恐れがある。これにより、センサ９０の検出精度が低下する恐れがある。
【００３５】
ここで、図８に示すように、羽根２２の代わりに、後幕の移動方向Ｄと直交する方向に延びた羽根２２ｙを採用することが考えられる。幕の移動方向Ｄと直交する方向を、幅方向と定義する。羽根２２ｙを採用することにより、後幕が閉鎖状態にある場合に、羽根２２ｙと羽根２３ｙとでセンサ９０を覆うことができる。これにより、センサ９０の検出精度の低下を防止できる。しかしながら、このような大型化した羽根２２ｙを採用することにより、以下のような問題が生じる。
【００３６】
図９は、退避状態から閉鎖状態への移行途中におけるフォーカルプレーンシャッタ１ｙとフォーカルプレーンシャッタ１との比較図である。尚、図９に示したフォーカルプレーンシャッタ１ｙについては、一部符号を省略してある。図９の上側にフォーカルプレーンシャッタ１ｙを示し、図９の下側にフォーカルプレーンシャッタ１を示している。羽根２２ｙは羽根２２よりも幅方向に延びているこのため、基板１０ｙについても基板１０より幅方向に大型化している。これは、幅方向に延びた羽根２２ｙを採用したことにより、幅方向に延びた基板１０ｙを採用しないと、図９に示す、退避状態から閉鎖状態への移行途中において、羽根２２ｙが基板からはみ出てしまうからである。
【００３７】
しかしながら、本実施例のフォーカルプレーンシャッタ１の羽根２３の先端部２３５は、羽根２２を幅方向に延ばすことなく、羽根２１、２２側に突出している。これにより、基板１０は幅方向に延ばすことなく、センサ９０を遮蔽できる。このように、本実施例のフォーカルプレーンシャッタ１は、大型化を抑制しつつ幕の状態の検出精度を確保している。
【００３８】
上述した例では、本実施例のフォーカルプレーンシャッタ１の後幕２０の羽根２３とは形状の異なる羽根２３ｙを採用したフォーカルプレーンシャッタ１ｙと本実施例のフォーカルプレーンシャッタ１とを比較して説明したが、先幕４０に関しても後幕２０と同様の構造の羽根を有しており、本実施例のフォーカルプレーンシャッタ１の先幕４０を構成する羽根４３の先端部４３５は、羽根４２を幅方向に延ばすことなく、羽根４１、４２側に突出している。これにより基板１０を幅方向に延ばすことなく、センサ９０を遮蔽でき大型化を抑制しつつ幕の状態の検出精度を確保している。
【００３９】
尚、センサ９０をできる限り開口１１に接近させることにより、羽根を幅方向に延ばすことなく、センサ９０を遮蔽可能にすることが考えられる。しかしながら、この考えは妥当ではない。図５に示すように、センサ９０は光軸Ａ方向に所定の厚みを有している。基板１０には、センサ９０の厚みを逃すために傾斜部１４が形成されている。従って、センサ９０が開口１１に近すぎると、傾斜部１４も開口１１に接近することになる。これにより、図５に示すように傾斜部１４で反射した被写体光Ｏが開口１１内に進行する恐れがある。これにより、撮像画像に悪影響を与える恐れがある。このように、撮像画像への影響を考慮すれば、センサ９０は開口１１からある程度離れている必要がある。
【００４０】
羽根２３の先端部２３５は、退避状態、閉鎖状態、退避状態及び閉鎖状態間の移行途中の状態、の何れの状態においても開口１１と重ならない。換言すれば、２３５ｅは、何れの状態においても開口１１と重ならない。これは、先幕についても同様である。この理由は、仮に先幕が閉鎖状態から退避状態に移行した際に先幕レバーのピンが逃げ孔１８ａの端部に当接してバウンドすることが考えられるからである。先幕レバーのバウンドにより、上述した先端部２３５に相当する、先幕の羽根の先端部が、開口１１に部分的に重なる恐れがある。これにより、開口を開放した直後に再び部分的に羽根の一部が開口１１に重なることになるので、撮像画像に影響を与える恐れがある。しかしながら、何れの状態においても先端部２３５が開口１１と重ならないように設けることにより、バウンドが発生した時に撮像画像に影響を与えることを防止している。
【００４１】
以上本発明の好ましい実施形態について詳述したが、本発明は係る特定の実施形態に限定されるものではなく、特許請求の範囲に記載された本発明の要旨の範囲内において、変形・変更が可能である。
【００４２】
本実施例のフォーカルプレーンシャッタは、スチールカメラやデジタルカメラなどの光学機器に採用できる。
【００４３】
上記実施例においては、羽根が合成樹脂製である場合を説明したが、薄く形成された金属製の羽根であってもよい。
【００４４】
上記実施例においては、羽根２３の先端部２３５は、後幕２０が閉鎖状態に完全に移行した段階でセンサ９０の大部分を遮蔽する。しかしながらこのような構成に限定されず、例えば、退避状態から閉鎖状態への走行途中においてセンサ９０を覆い、閉鎖状態に完全に移項した段階においてはセンサ９０を覆わない先端部を有した羽根であってもよい。
【００４５】
４枚の羽根から構成される幕に対して、２枚目の羽根の先端部を１枚目の羽根に向けて突出するようにしてもよい。２枚の羽根から構成される幕に対して、２枚目の羽根の先端部を１枚目の羽根に向けて突出するようにしてもよい。３枚の羽根から構成される幕に対して、２枚目の羽根の先端部を１枚目の羽根に向けて突出するようにしてもよい。５枚の羽根から構成される幕に対して、２枚目の羽根の先端部を１枚目の羽根に向けて突出するようにしてもよい。５枚の羽根から構成される幕に対して、３枚目の羽根の先端部を１枚目の羽根に向けて突出するようにしてもよい。５枚の羽根から構成される幕に対して、４枚目の羽根の先端部を１枚目の羽根に向けて突出するようにしてもよい。尚、上記の１枚目の羽根とは、アームとの連結箇所が最もアームの先端側に位置している羽根を意味する。上記の２〜４枚目の羽根とは、一枚目から数えて２〜４枚目の羽根を意味する。上記幕は、先幕及び後幕の少なくとも一つである。
【符号の説明】
【００４６】
１  フォーカルプレーンシャッタ
１０  基板
１１  開口
２０  後幕
４０  先幕
２１〜２４  羽根
２３１、４３１  基端部
２３３、４３３  中間部
２３５、４３５  先端部
２３３ｅ、４３３ｅ  第１縁
２３５ｅ、４３５ｅ  第２縁
３１ｂ、３２ｂ、５１ｂ、５２ｂ  アーム
９０  センサ
【図１】
0005583506.tif 000002
【図２】
0005583506.tif 000003
【図３】
0005583506.tif 000004
【図４】
0005583506.tif 000005
【図５】
0005583506.tif 000006
【図６】
0005583506.tif 000007
【図７】
0005583506.tif 000008
【図８】
0005583506.tif 000009
【図９】
0005583506.tif 000010